(57)【要約】【課題】主に各種電子機器に用いられる電池ユニットに関し、容易に製作が行え、安価で、確実な電気的接離が可能なものを提供することを目的とする。【解決手段】温度ヒューズ４の端子４Ａが半田付けされるランド２Ｂ上面外周に枠壁部８を設けると共に、この枠壁部８内方で端子４Ａをランド２Ｂに半田接続することによって、温度ヒューズ４の端子４Ａをランド２Ｂへ半田付けする際、半田５がランド２Ｂ上面から外方へ流出して、半田ボール等が生じることを防ぐことができるため、別途これを取除く手間がかからず、安価で容易に製作が行えると共に、スイッチング素子３の端子３Ａ間の短絡等を防止し、確実な電気的接離を行うことが可能な電池ユニットを得ることができる。【選択図】図１
2011023556.tif 000002
【特許請求の範囲】
【請求項１】
上面に複数のランドや配線パターンが形成された配線基板と、電池電源の切換えを行うスイッチング素子と、このスイッチング素子近傍に装着された温度ヒューズからなり、上記温度ヒューズの端子が半田付けされる上記ランド上面外周に枠壁部を設けると共に、この枠壁部内方で上記温度ヒューズの端子を上記ランドに半田接続した電池ユニット。
【発明の詳細な説明】
【技術分野】
【０００１】
本発明は、主に各種電子機器に用いられる電池ユニットに関するものである。
【背景技術】
【０００２】
近年、各種電子機器、特に携帯電話や電子カメラ等の携帯機器においては、充電可能な電池を装着すると共に、携帯時にはこの電池電源を用いて様々な操作が行われており、これらの機器に用いられる電池ユニットにおいても、安価で、確実な電気的接離を行えるものが求められている。
【０００３】
このような従来の電池ユニットについて、図７〜図１０を用いて説明する。
【０００４】
図７は従来の電池ユニットの斜視図であり、同図において、１は上下面に複数のランド２や、これらを接続する配線パターン（図示せず）が形成された配線基板、３はＦＥＴやトランジスタ等のスイッチング素子で、配線基板１上面の複数のランド２Ａに、スイッチング素子３の端子３Ａが半田付けによって実装接続されている。
【０００５】
そして、４は温度ヒューズで、左右の端子４Ａ先端が略矩形状のランド２Ｂに半田５によって半田付けされて、スイッチング素子３近傍の配線基板１上面に載置されると共に、このスイッチング素子３外周と温度ヒューズ４との間には、シリコーン等の熱伝導性樹脂６が塗布されて、電池ユニットが構成されている。
【０００６】
また、このような電池ユニットを製作する際には、先ず図８（ａ）や図８（ｂ）の斜視図に示すように、配線基板１上面の複数のランド２Ａ上面にクリーム状の半田５を印刷した後、ランド２Ａ上にスイッチング素子３の端子３Ａを載置し加熱して、図９（ａ）の斜視図に示すように、配線基板１にスイッチング素子３を半田付けする。
【０００７】
そして、図９（ｂ）に示すように、温度ヒューズ４の端子４Ａ先端をランド２Ｂ上に載せて、温度ヒューズ４をスイッチング素子３近傍に載置し、スイッチング素子３と温度ヒューズ４との間に熱伝導性樹脂６を塗布する。
【０００８】
さらに、この後、半田鏝（図示せず）によって半田５をランド２Ｂに溶融塗布して、温度ヒューズ４の端子４Ａをランド２Ｂに半田付けし、熱伝導性樹脂６を乾燥させて、図７に示すような電池ユニットが完成する。
【０００９】
そして、このように構成された電池ユニットが、携帯電話や電子カメラ等の電子機器内に収納装着されると共に、スイッチング素子３が温度ヒューズ４を介して、配線パターンやコネクタ（図示せず）等によって、電池（図示せず）や機器の電子回路（図示せず）に接続される。
【００１０】
以上の構成において、機器を携帯時には、スイッチング素子３を介して電池から電子回路に電源が供給されて、機器の様々な操作が行われ、また、電池に充電を行う際には、スイッチング素子３が切換えられ、このスイッチング素子３を介して充電器等から電池に充電が行われる。
【００１１】
なお、このような機器の操作時や電池への充電時等に、万が一、回路の短絡等が生じスイッチング素子３に過電流が流れた場合、この過電流によってスイッチング素子３が発熱するが、この熱は熱伝導性樹脂６に伝わり、さらに熱伝導性樹脂６を介して温度ヒューズ４に伝わる。
【００１２】
そして、過電流がある程度以上流れ、温度ヒューズ４に伝わる熱が所定温度以上になった場合には、温度ヒューズ４が溶断して、電池からのスイッチング素子３や電子回路への電源供給が遮断されるようになっている。
【００１３】
つまり、電池とスイッチング素子３の間に接続された温度ヒューズ４が、過電流等によるスイッチング素子３の発熱を検出し、この熱が所定温度以上になった場合には、電池からの電源供給を遮断することによって、短絡等による機器の損傷を未然に防ぐように構成されているものであった。
【００１４】
なお、この出願の発明に関連する先行技術文献情報としては、例えば、特許文献１が知られている。
【先行技術文献】
【特許文献】
【００１５】
【特許文献１】特開２００９−３２６０６号公報
【発明の概要】
【発明が解決しようとする課題】
【００１６】
しかしながら、上記従来の電池ユニットにおいては、図１０の部分断面図に示すように、温度ヒューズ４の端子４Ａのランド２Ｂへの半田付け時に、ランド２Ｂ上面から外方へ流出した半田５が、近傍の配線基板１上面に、球状の半田ボール５Ａとして発生してしまう場合があり、この半田ボール５Ａによるスイッチング素子３の端子３Ａ間の短絡等の不具合を防ぐため、別途ブラシ掛けや洗浄等を行って、半田ボール５Ａを取除く必要があり、製作に手間がかかってしまうという課題があった。
【００１７】
本発明は、このような従来の課題を解決するものであり、容易に製作が行え、安価で、確実な電気的接離が可能な電池ユニットを提供することを目的とする。
【課題を解決するための手段】
【００１８】
上記目的を達成するために本発明は、温度ヒューズの端子が半田付けされるランド上面外周に枠壁部を設けると共に、この枠壁部内方で温度ヒューズの端子をランドに半田接続して電池ユニットを構成したものであり、温度ヒューズの端子をランドへ半田付けする際、ランド上面外周の枠壁部によって、半田がランド上面から外方へ流出して、半田ボール等が生じることを防ぐことができるため、別途これを取除く手間がかからず、安価で容易に製作が行えると共に、スイッチング素子の端子間の短絡等を防止し、確実な電気的接離を行うことが可能な電池ユニットを得ることができるという作用を有するものである。
【発明の効果】
【００１９】
以上のように本発明によれば、容易に製作が行え、安価で、確実な電気的接離が可能な電池ユニットを実現することができるという有利な効果が得られる。
【図面の簡単な説明】
【００２０】
【図１】本発明の一実施の形態による電池ユニットの断面図
【図２】同斜視図
【図３】同斜視図
【図４】同斜視図
【図５】同部分断面図
【図６】同部分斜視図
【図７】従来の電池ユニットの斜視図
【図８】同斜視図
【図９】同斜視図
【図１０】同部分断面図
【発明を実施するための形態】
【００２１】
以下、本発明の実施の形態について、図１〜図６を用いて説明する。
【００２２】
なお、背景技術の項で説明した構成と同一構成の部分には同一符号を付して、詳細な説明を簡略化する。
【００２３】
（実施の形態）
図１は本発明の一実施の形態による電池ユニットの断面図、図２は同斜視図であり、１は紙フェノールやガラス入りエポキシ等の配線基板、３はＦＥＴやトランジスタ等のスイッチング素子で、配線基板１の上下面には銅等によって複数の略矩形状のランド２や、これらを接続する配線パターン（図示せず）が形成されると共に、配線基板１上面の複数のランド２Ａに、スイッチング素子３の端子３Ａが半田付けによって実装接続されている。
【００２４】
そして、４は略円筒状でセラミック等の筒内に可溶金属が内蔵された温度ヒューズ、８は半田によってランド２Ｂ上面外周に形成された略コの字状の枠壁部で、温度ヒューズ４左右の端子４Ａ先端が、枠壁部８内方のランド２Ｂ上面に半田５によって半田接続されて、スイッチング素子３近傍の配線基板１上面に載置されている。
【００２５】
さらに、６はシリコーン等の熱伝導性樹脂で、この熱伝導性樹脂６がスイッチング素子３外周と温度ヒューズ４との間に塗布されて、電池ユニットが構成されている。
【００２６】
また、このような電池ユニットを製作する際には、先ず図３（ａ）や図３（ｂ）の斜視図に示すように、例えば厚さ１５０μｍのメタルマスクを用いて、配線基板１上面の複数のランド２Ａ上面全面と、ランド２Ｂ上面外周に略コの字状に、クリーム状の半田５を印刷した後、ランド２Ａ上にスイッチング素子３の端子３Ａを載置する。
【００２７】
次に、この配線基板１を加熱炉の中で、例えば１５０〜１８０度前後の温度で６０〜１２０秒前後プリヒートした後、２５０度の温度で１０秒間加熱して、ランド２Ａ上面の半田５を溶融させ、図４（ａ）の斜視図に示すように、配線基板１にスイッチング素子３を半田付けする。
【００２８】
なお、この時、ランド２Ａ上面の半田５と共に、ランド２Ｂ上面外周に塗布された半田５も加熱され、半田５内のフラックスや有機溶剤が蒸発するため、高さが１５０μｍ前後から９０μｍ前後に変化して、ランド２Ｂ上面外周に略コの字状の枠壁部８が形成される。
【００２９】
そして、図４（ｂ）に示すように、温度ヒューズ４の端子４Ａ先端を、この枠壁部８内方のランド２Ｂ上に載せて、温度ヒューズ４をスイッチング素子３近傍に載置し、スイッチング素子３と温度ヒューズ４との間に熱伝導性樹脂６を塗布する。
【００３０】
さらに、この後、図５の部分断面図に示すように、３２０度前後に加熱された半田鏝（図示せず）によって半田５を、３秒間ランド２Ｂ上面の枠壁部８内方に溶融塗布して、温度ヒューズ４の端子４Ａをランド２Ｂに半田接続し、熱伝導性樹脂６を乾燥させて、図１や図２に示すような電池ユニットが完成する。
【００３１】
なお、このように温度ヒューズ４の端子４Ａをランド２Ｂに半田接続する際、ランド２Ｂ上面外周には略コの字状の枠壁部８が形成されているため、枠壁部８内方で溶融した半田５が、ランド２Ｂ上面から外方へ流出することを防ぎ、近傍の配線基板１上面に球状の半田ボール等が発生しないようになっている。
【００３２】
つまり、温度ヒューズ４の端子４Ａが半田付けされるランド２Ｂ上面外周に枠部８を設け、この枠壁部８内方で端子４Ａをランド２Ｂに半田接続することによって、半田ボール等が生じることを防ぐことができるため、これによるスイッチング素子３の端子３Ａ間の短絡等の不具合を防ぐための、ブラシ掛けや洗浄等が不要となり、安価で容易に製作が行えるように構成されている。
【００３３】
さらに、この半田５から形成された枠壁部８は、上述したように、配線基板１にスイッチング素子３を半田付けする際に、すでに加熱され、内部のフラックス等が蒸発して、いわゆる濡れ性が劣化したものとなっているため、ランド２Ｂ上面で溶融して広がりづらくなっており、上記のように半田鏝によって多少の熱が加わった場合にも、所定の高さを保ち、半田５の外方への流出を防ぐことができるようになっている。
【００３４】
そして、このように構成された電池ユニットが、携帯電話や電子カメラ等の電子機器内に収納装着されると共に、スイッチング素子３が温度ヒューズ４を介して、配線パターンやコネクタ（図示せず）等によって、電池（図示せず）や機器の電子回路（図示せず）に接続される。
【００３５】
以上の構成において、機器を携帯時には、スイッチング素子３を介して電池から電子回路に電源が供給されて、機器の様々な操作が行われ、また、電池に充電を行う際には、スイッチング素子３が切換えられ、このスイッチング素子３を介して充電器等から電池に充電が行われる。
【００３６】
なお、このような機器の操作時や電池への充電時等に、万が一、回路の短絡等が生じスイッチング素子３に過電流が流れた場合、この過電流によってスイッチング素子３が発熱するが、この熱は熱伝導性樹脂６に伝わり、さらに熱伝導性樹脂６を介して温度ヒューズ４に伝わる。
【００３７】
そして、過電流がある程度以上流れ、例えば５Ａ以上の過電流が流れ、温度ヒューズ４に伝わる熱が所定温度以上、例えば１３５℃以上になった場合には、温度ヒューズ４が溶断して、電池からのスイッチング素子３や電子回路への電源供給が遮断されるようになっている。
【００３８】
つまり、電池とスイッチング素子３の間に接続された温度ヒューズ４が、過電流等によるスイッチング素子３の発熱を検出し、この熱が所定温度以上になった場合には、電池からの電源供給を遮断することによって、短絡等による機器の損傷を未然に防ぐように構成されている。
【００３９】
そして、上述したように、温度ヒューズ４の端子４Ａが半田付けされるランド２Ｂ上面外周に枠壁部８を設け、この枠壁部８内方で端子４Ａをランド２Ｂに半田接続することで、半田ボール等が生じることを防ぐことができるため、別途これを取除く手間がかからず、安価で容易に製作が行えると共に、半田ボール等の付着によるスイッチング素子３の端子３Ａ間の短絡等を防止し、確実な電気的接離を行うことができるようになっている。
【００４０】
なお、以上の説明では、ランド２Ｂ上面外周に枠壁部８を設けた構成について説明したが、図６の部分斜視図に示すように、略矩形状のランド２Ｂの上面外周からやや内方に、略コの字状の枠壁部８を形成した構成としても、本発明の実施は可能であり、同様の効果を得ることができる。
【００４１】
このように本実施の形態によれば、温度ヒューズ４の端子４Ａが半田付けされるランド２Ｂ上面外周に枠壁部８を設けると共に、この枠壁部８内方で端子４Ａをランド２Ｂに半田接続することによって、温度ヒューズ４の端子４Ａをランド２Ｂへ半田付けする際、半田５がランド２Ｂ上面から外方へ流出して、半田ボール等が生じることを防ぐことができるため、別途これを取除く手間がかからず、安価で容易に製作が行えると共に、スイッチング素子３の端子３Ａ間の短絡等を防止し、確実な電気的接離を行うことが可能な電池ユニットを得ることができるものである。
【産業上の利用可能性】
【００４２】
本発明による電池ユニットは、容易に製作が行え、安価で、確実な電気的接離が可能なものが得られ、各種電子機器の電池ユニットとして有用である。
【符号の説明】
【００４３】
１  配線基板
２、２Ａ、２Ｂ  ランド
３  スイッチング素子
３Ａ  端子
４  温度ヒューズ
４Ａ  端子
５  半田
６  熱伝導性樹脂
８  枠壁部
【図１】
2011023556.tif 000003
【図２】
2011023556.tif 000004
【図３】
2011023556.tif 000005
【図４】
2011023556.tif 000006
【図５】
2011023556.tif 000007
【図６】
2011023556.tif 000008
【図７】
2011023556.tif 000009
【図８】
2011023556.tif 000010
【図９】
2011023556.tif 000011
【図１０】
2011023556.tif 000012